(57)【要約】【課題】軸受け部材を鋼板の折り曲げ加工品として製作した組立式ボックスパレットのハンドル式連結装置を提供する。【解決手段】軸受け部材６は、鋼板の折り曲げ加工により、横断面を内向きコ字形に形成された左右の縦方向フランジ部６０、６０と、その上端間を結び横断面を内向きコ字形に形成されたウェブ部６１とで下向きコ字状に形成され、更に、軸受け部材の左右の縦方向フランジ部６０、６０と、ハンドル９の前進位置及び後退位置を規定する位置決めストッパ７とが一枚板状に板取りされ、軸受け部材６と一連の折り曲げ成形工程により位置決めストッパ７（７’）が一体的に形成されている。【選択図】図２
2014196134.tif 000002
【特許請求の範囲】
【請求項１】
平面が矩形をなすパレット基台の四辺に沿って立てた正面板と背面板及び左右の側面板とで構成された組立式ボックスパレットの隣り合う面板同士を連結し、又は連結を解除する装置であり、前記正面板又は背面板と左右の側面板とが交わるコーナー部を形成する一方の面板の上部に設置される下向きコ字状の軸受け部材と、前記軸受け部材の左右の縦方向フランジ部間を貫通して水平方向のスライドが可能で、且つ回転も可能に支持された面板連結用のラッチ棒と、該ラッチ棒に取り付けられたハンドルとで構成される、組立式ボックスパレットのハンドル式連結装置において、
前記軸受け部材は、鋼板の折り曲げ加工により、横断面を内向きコ字形に形成された左右の縦方向フランジ部と、その上端間を結び横断面を内向きコ字形に形成されたウェブ部とで下向きコ字状に形成され、
更に、軸受け部材の左右の縦方向フランジ部と、前記ハンドルの前進位置及び後退位置を規定する位置決めストッパとが一枚板状に板取りされ、前記軸受け部材と一連の折り曲げ成形工程により位置決めストッパが一体的に形成されており、
前記各位置決めストッパには前記ハンドルの縦辺部を止める突起状のハンドル固定用凸部が設けられていることを特徴とする、組立式ボックスパレットのハンドル式連結装置。
【請求項２】
軸受け部材の左右のフランジ部と合一の一枚板状に形成された位置決めストッパは、同フランジ部の一端縁を内方へ略９０度折り曲げて形成した内側折り曲げ片と、他端縁をハンドルの縦辺部の外径に相当する長さまで延長させ、更に該端縁部を内方へ略９０度折り曲げた外側折り曲げ片とでハンドル受けが構成されており、
前記外側折り曲げ片のハンドル受け側の面にハンドル固定用凸部が設けられていることを特徴とする、請求項１に記載した組立式ボックスパレットのハンドル式連結装置。
【請求項３】
軸受け部材の左右のフランジ部には、位置決めストッパのハンドル受けを形成する内側折り曲げ片の変形を阻止する変形防止処理が施されていることを特徴とする、請求項２に記載した組立式ボックスパレットのハンドル式連結装置。
【請求項４】
軸受け部材の左右のフランジ部と合一の一枚板状に形成された位置決めストッパは、同フランジ部の一端縁を内方へ略９０度折り曲げて、その端縁を前記フランジ部の他端縁と突き合わせた内側折り曲げ片と、該内側折り曲げ片の端縁部を外方へ略９０度折り曲げてハンドルの縦辺部の外径に相当する長さまで延長させ、更に該端縁部を内方へ略９０度折り曲げた外側折り曲げ片とでハンドル受けが構成されており、
前記外側折り曲げ片のハンドル受け側の面にハンドル固定用凸部が設けられていることを特徴とする、請求項１に記載した組立式ボックスパレットのハンドル式連結装置。
【発明の詳細な説明】
【技術分野】
【０００１】
この発明は、各種の物品を運搬・保管するために使用する組立式ボックスパレットの面板同士を連結し、又は連結を解除するハンドル式連結装置の技術分野に属し、更に言えば、その軸受け部材を鋼板の折り曲げ加工品として製作した組立式ボックスパレットのハンドル式連結装置に関する。
【背景技術】
【０００２】
従来、組立式ボックスパレットは、本出願人が種々出願しており、既に公開され広く実用に供されている。
組立式ボックスパレットは、一例として図１に示したように、平面が矩形をなすパレット基台１０の四辺に沿って正面板２と背面板３及び左右の側面板４、４を設置し、隣り合う面板同士を、手動操作によるハンドル式連結装置５で連結し、又は解除可能に箱型に組み立てて使用される。当該ボックスパレット１の大きさの一例を示すと、正面方向から見た左右方向（長手方向）の幅寸法が１５００ｍｍ弱で、床からの高さ寸法は１０００ｍｍ余、そして、短手方向の幅寸法は１１００ｍｍ余の大きさである。
【０００３】
上記ハンドル式連結装置は、例えば下記特許文献１に開示された組立式ボックスパレットの場合、正面板又は背面板と左右の側面板とが交わるコーナー部の上部（上隅部）に設置された下向きコ字形状の軸受け部材と、この軸受け部材の左右の縦辺部間を貫通して水平方向のスライドが可能で、且つ回転も可能に支持されたラッチ棒と、該ラッチ棒に取り付けられたハンドルとで構成されている。
【０００４】
上記ハンドル式連結装置の軸受け部材は、例えば縦横の断面寸法が１９ｍｍ×８ｍｍ程度の角形鋼棒をコ字形状に折り曲げて成形され、同軸受け部材の枠内に、前記ハンドルの前進位置又は後退位置を規制する位置決めストッパが取り付けられている。具体的には、ハンドルの左右の縦辺部を挟む溝形のハンドル受け部材を、軸受け部材の左右フランジ部の相対向する内側面部へ溶接で取り付けた構成である。そして、前記ハンドル受け部材にはハンドルの縦辺部を規制する突起状のハンドル固定用凸部が設けられている。
【先行技術文献】
【特許文献】
【０００５】
【特許文献１】特開２００９−２２０８９１号公報
【発明の概要】
【発明が解決しようとする課題】
【０００６】
上記特許文献１に開示された組立式ボックスパレットに設置されたハンドル式連結装置は、ハンドルの前進位置と後退位置に位置決めストッパを設けた構成であり、容易に且つ迅速に各面板をハンドル式連結装置で連結でき、又は連結を解除することが可能で、非常に使い勝手に優れている。
しかし、前記ハンドル式連結装置を製造するに際し、大量生産のためロボットによる加工が主流となっており、それが原因で微妙な位置合わせに不具合を生じるおそれがある。そのため、ボックスパレットの使用中にハンドルの縦辺部が位置決めストッパの内部へしっかりと納まらず、確実な連結を達成できない等の問題が起こりやすい。
また、上記構成の組立式ボックスパレットは、現在１年間に約１１万台も生産されるが、ハンドル式連結装置を構成する軸受け部材が角形鋼棒で構成されているので、この軸受け部材のコストダウンと軽量化を図ることが要望されている。
【０００７】
本発明の目的は、ハンドル式連結装置を構成する軸受け部材を鋼板の折り曲げ加工品とすると共に、位置決めストッパもその折り曲げ工程の一部で製作するべく改良した組立式ボックスパレットのハンドル式連結装置を提供することである。
【課題を解決するための手段】
【０００８】
上記従来技術の課題を解決するための手段として、請求項１に記載した発明に係る組立式ボックスパレットのハンドル式連結装置は、
平面が矩形をなすパレット基台１０の四辺に沿って立てた正面板２と背面板３及び左右の側面板４、４とで構成された組立式ボックスパレット１の隣り合う面板同士を連結し、又は連結を解除する装置であり、前記正面板２又は背面板３と左右の側面板４、４とが交わるコーナー部を形成する一方の面板の上部に設置される下向きコ字状の軸受け部材６と、前記軸受け部材６の左右の縦方向フランジ部６０、６０間を貫通して水平方向のスライドが可能で、且つ回転も可能に支持された面板連結用のラッチ棒８と、該ラッチ棒８に取り付けられたハンドル９とで構成される、組立式ボックスパレット１のハンドル式連結装置において、
前記軸受け部材６は、鋼板の折り曲げ加工により、横断面を内向きコ字形に形成された左右の縦方向フランジ部６０、６０と、その上端間を結び横断面を内向きコ字形に形成されたウェブ部６１とで下向きコ字状に形成され、
更に、軸受け部材の左右の縦方向フランジ部６０、６０と、前記ハンドル９の前進位置及び後退位置を規定する位置決めストッパ７とが一枚板状に板取りされ、前記軸受け部材６と一連の折り曲げ成形工程により位置決めストッパ７（７’）が一体的に形成されており、
前記各位置決めストッパ７（７’）には前記ハンドル９の縦辺部９０、９０を止める突起状のハンドル固定用凸部７ａが設けられていることを特徴とする。
【０００９】
請求項２に記載した発明は、請求項１に記載した組立式ボックスパレットのハンドル式連結装置において、
軸受け部材６の左右のフランジ部６０、６０と合一の一枚板状に形成された位置決めストッパ７（７’）は、同フランジ部６０の一端縁を内方へ略９０度折り曲げて形成した内側折り曲げ片７０と、他端縁をハンドル９の縦辺部９０の外径に相当する長さまで延長させ、更に該端縁部を内方へ略９０度折り曲げた外側折り曲げ片７１とでハンドル受け７２が構成されており、
前記外側折り曲げ片７１のハンドル受け７２側の面にハンドル固定用凸部７ａが設けられていることを特徴とする。
【００１０】
請求項３に記載した発明は、請求項２に記載した組立式ボックスパレットのハンドル式連結装置において、
軸受け部材６の左右のフランジ部６０、６０には、位置決めストッパ７（７’）のハンドル受け７２を形成する内側折り曲げ片７０の変形を阻止する変形防止処理（７ｂ〜７ｄ）が施されていることを特徴とする。
【００１１】
請求項４に記載した発明は、請求項１に記載した組立式ボックスパレットのハンドル式連結装置において、
軸受け部材６の左右のフランジ部６０、６０と合一の一枚板状に形成された位置決めストッパ７（７’）は、同フランジ部６０の一端縁を内方へ略９０度折り曲げて、その端縁を前記フランジ部６０の他端縁と突き合わせた内側折り曲げ片７０と、該内側折り曲げ片７０の端縁部を外方へ略９０度折り曲げてハンドル９の縦辺部９０の外径に相当する長さまで延長させ、更に該端縁部を内方へ略９０度折り曲げた外側折り曲げ片７１とでハンドル受け７２が構成されており、
前記外側折り曲げ片７１のハンドル受け７２側の面にハンドル固定用凸部７ａが設けられていることを特徴とする。
【発明の効果】
【００１２】
本発明に係る組立式ボックスパレットのハンドル式連結装置によれば、軸受け部材６の左右のフランジ部６０、６０と、位置決めストッパ７（７’）とが鋼板の一枚板状に板取りされ、軸受け部材６と一連の折り曲げ成形工程により位置決めストッパ７（７’）が一体的に形成される。したがって、位置決めストッパ７、７’が脱落する懸念がなく、しかもハンドル９は常に安定状態に保持される。
また、軸受け部材６を、鋼板の折り曲げ加工品としたこと、更に加えて横断面を内向きコ字形に形成された左右の縦方向フランジ部６０、６０と、その上端間を結び縦断面を内向きコ字形に形成されたウェブ部６１とで下向きコ字状に形成した構成なので、ハンドル式連結装置５の軽量化を図ることができる。
【図面の簡単な説明】
【００１３】
【図１】組立式ボックスパレットの全体構成を示した斜視図である。
【図２】図１に指示したＡ円部を拡大して示した斜視図である。
【図３】ハンドル式連結装置を正面方向から見た拡大図である。
【図４】図３のＢ−Ｂ線矢視断面図である。
【図５】図３のＣ−Ｃ線矢視拡大断面図である。
【図６】図３のＤ−Ｄ線矢視拡大断面図である。
【図７】軸受け部材のフランジ部における位置決めストッパを形成した箇所の展開図である。
【図８】（Ａ）〜（Ｃ）は、図３のＤ−Ｄ線矢視断面であって、それぞれ折り曲げ片の変形防止処理の異なる例を示した図である。
【図９】位置決めストッパの異なる実施形態を示した軸受け部材のフランジ部の横断面図ある。
【発明を実施するための形態】
【００１４】
本発明に係る組立式ボックスパレットのハンドル式連結装置は、軸受け部材６が、鋼板の折り曲げ加工により、横断面を内向きコ字形に形成された左右の縦方向フランジ部６０、６０と、その上端間を結び横断面を内向きコ字形に形成されたウェブ部６１とで下向きコ字状に形成されている。軸受け部材６の左右の縦方向フランジ部６０、６０と、ハンドル９の前進位置及び後退位置を規定する位置決めストッパ７、７’とが一枚板状に板取りされ、軸受け部材６と一連の折り曲げ成形工程により位置決めストッパ７、７’が一体的に形成されている。各位置決めストッパ７、７’にはハンドル９の縦辺部９０を止める突起状のハンドル固定用凸部７ａが設けられている。
【実施例１】
【００１５】
以下に、本発明を図示した実施例に基づいて説明する。
本発明の場合も、図１に示すように、組立式ボックスパレット１は、平面視が矩形をなすパレット基台１０の上面の四辺に沿って正面板２と背面板３及び左右の側面板４、４を立て、正面板２の左右の上隅部にハンドル式連結装置５を設置し、このハンドル式連結装置５の操作により隣り合う面板２、４（３、４）相互を連結して箱型に組み立てられている。したがって、この組立式ボックスパレット１は、ハンドル式連結装置５の操作により連結を解除することも自在に可能である。
【００１６】
本発明に係る組立式ボックスパレットのハンドル式連結装置５は、図２及び図３に拡大して示したように、下向きコ字状の軸受け部材６と、該軸受け部材６の左右の縦方向フランジ部６０、６０間を貫通して水平方向のスライドが可能で、且つ回転も可能に支持された面板連結用のラッチ棒８と、該ラッチ棒８に縦辺部９０、９０の上端を溶接等の手段で取り付けられたハンドル９とで構成されている。
前記ハンドル式連結装置５は、隣接する一方の面板、図１及び図２の実施例では正面板２の左右の上隅部、更に具体的に言えば、正面板２の上縁に固着された角パイプ状の上部枠２ａの下底面に沿って前記軸受け部材６のウェブ部６１上面が溶接等の手段で固着されて設置されている。
【００１７】
上記軸受け部材６は、厚さ２ｍｍ程度でなる鋼板の折り曲げ加工により、横断面（図５を参照）を内向きコ字形に形成された左右の縦方向フランジ部６０、６０と、その上端間を結び横断面（図４を参照）を内向きコ字形に形成されたウェブ部６１とで下向きコ字状に形成されている。
更に、前記軸受け部材６の左右のフランジ部６０、６０と、ハンドル９の前進位置及び後退位置を規定する二つの位置決めストッパ７、７’とが、図７に示したように、プレス加工により一枚板状に板取りされ、図６に示したように、前記軸受け部材６と一連の曲げ成形工程により位置決めストッパ７、７’が一体的に形成されている。
具体的には、前記左右の位置決めストッパ７、７’は、図６に示したように、各縦方向フランジ部６０の手前側の端縁を内方へ略９０度折り曲げた内側折り曲げ片７０と、面板側の端縁をハンドル９の縦辺部９０の外径に相当する長さ（約８ｍｍ程度）まで延長させ、更に該端縁部を内方へ略９０度折り曲げた外側折り曲げ片７１とでハンドル受け７２が構成されている。即ち、前記ハンドル９の縦辺部９０を前記ハンドル受け７２で固定し、同ハンドル９の前進位置及び後退位置が位置決めされる。
前記外側折り曲げ片７１のハンドル受け７２側の面には、ハンドル９の保持力を高めるハンドル固定用凸部７ａがエンボス加工により設けられている。なお、前記ハンドル固定用凸部７ａは、突起物を溶接して設けた構成で実施することもできる。
前記軸受け部材６の左右の縦方向フランジ部６０、６０の共通位置には、ラッチ棒８の軸部を通す孔が６ａ、６ａが設けられており、該孔６ａ、６ａへラッチ棒８の軸部が通されて同ラッチ棒８が前記左右のフランジ部６０、６０に支持されている。
なお、前記位置決めストッパ７、７’の間隔は、一例として図２及び３に示したように、ラッチ棒８の連結用爪８０が、正面板２と側面板４を結合した位置から、同側面板４のコーナー部材４０の止め用長孔４０ａを後退方向へ通過して軸受け部材６の外寄りのフランジ部６０の近傍へ露出する位置までのストロークとほぼ同じ寸法で構成されている。
【００１８】
したがって、本発明に係る組立式ボックスパレットのハンドル式連結装置５は、軸受け部材６と位置決めストッパ７、７’を一体的な折り曲げ成形品とした構成なので、位置決めストッパ７、７’が脱落する懸念がなく、しかもハンドル９は常に安定状態に保持される。
また、軸受け部材６が、鋼板の折り曲げ加工品とし、更に加えて横断面を内向きコ字形に形成された左右の縦方向フランジ部６０、６０と、その上端間を結び縦断面を内向きコ字形に形成されたウェブ部６１とで下向きコ字状に形成した構成なので、角形鋼棒で成形した従来の軸受け部材と比較して軽量化を図ることができる。
【００１９】
次に、上記組立式ボックスパネルの隣り合う面板を上記構成のハンドル式連結装置で、連結し又は連結を解除する構成を図１及び図２に基づいて簡潔に説明する。
先ず、上記ラッチ棒８は、図２に示したように、基本的には丸棒形状で成り、その先端部（外端部）には、隣接する側面板４を掛け止めて正面板２又は背面板３と連結するフック部８０が、一例としてＴ字形状に形成されている。なお、前記フック部８０は、ラッチ棒を短く屈曲して略直角なＬ字形状とした構成で実施することもできる。
正面板２のコーナー部の縦縁を形成する管状支柱２０の外側壁に、ラッチ棒８の連結用爪部８０を通過させる形状、大きさの通し長孔（図示することは省略）が略垂直な向きに形成されている。一方、側面板４のコーナー部材４０には、略垂直な向きの止め用長孔４０ａが、連結用爪部８０を通過させる形状と大きさで形成されている。
【００２０】
上記正面板２に設置されたラッチ棒８のハンドル９を手前側へ回転してその縦辺部９０、９０が前記位置決めストッパ７、７’の背を乗り越える高さにして前進させ、正面板２の管状支柱２０に形成した通し長孔から連結用爪部８０を突き出させ、同連結用爪部８０を側面板４のコーナー部材４０の止め用長孔４０ａへ通し、図２に示したように、同ハンドル９の縦辺部を前進位置の位置決めストッパ７’のハンドル受け７２へ納めて正面板２と側面板４を連結する組立が行われる。
前記正面板２と側面板４の連結状態を解除するには、ハンドル９を手前側へ回転して連結用爪部８０を前記止め用長孔４０ａから離脱させ、後退させて面板相互の結合を解き、同連結用爪部８０は正面板２の管状支柱２０の通し長孔にも通し後退させて管状支柱２０の中空部内に納め、同ハンドル９の縦辺部９０を後退位置の位置決めストッパ７のハンドル受け７２へ納める。
【００２１】
なお、図６に横断面形状を示したハンドル式連結装置４では、ハンドル９の縦辺部９０を位置決めストッパ７で位置決めする際に、ハンドル９により押圧作用により、内側折り曲げ片７０が軸受け部材６の内方へ向かって逃げる変形を起こす虞がある。その対策として、図８（Ａ）〜（Ｃ）に、前記軸受け部材６の左右の縦方向フランジ部６０、６０へ、前記内側折り曲げ片７０の変形を防止する変形防止処理（７ｂ〜７ｄ）を施した実施形態を示した。
先ず、図８（Ａ）に示した変形防止処理７ｂは、軸受け部材６の縦方向フランジ部６０に、内方へ向かって突き出る凸部をエンボス加工により形成した実施形態を示している。前記凸部７ｂが内側折り曲げ片７０の先端部と接触して、同内側折り曲げ片７０の変形を防止する構成である。なお、前記エンボス加工によって形成する凸部に代えて突起物を溶接により取り付けた構成で実施することもできる。
図８（Ｂ）に示した変形防止処理７ｃは、軸受け部材６の縦方向フランジ部６０の一部を、内方へ向かって切り起こして切り起こし片を形成した実施形態を示している。前記切り起こし片７ｃの先端部が内側折り曲げ片７０の先端部と接触して、同内側折り曲げ片７０の変形を防止する。
図８（Ｃ）に示した変形防止処理７ｄは、位置決めストッパ７（７’）の折り曲げ片７０の先端部分と、軸受け部材６のハンドル受け７１を有する側の内側面との交点を、点付け溶接や連続隅肉溶接した実施形態を示している。
【実施例２】
【００２２】
図９に示した実施例２のハンドル式連結装置５も、軸受け部材６が厚さ２ｍｍ程度でなる鋼板の折り曲げ加工により、横断面（図５を参照）を内向きコ字形に形成された左右の縦方向フランジ部６０、６０と、その上端間を結び横断面（図４を参照）を内向きコ字形に形成されたウェブ部６１とで下向きコ字状に形成されていること、及び軸受け部材６の左右の縦方向フランジ部６０、６０と、位置決めストッパ７、７’とが一枚板状に板取りされ、前記軸受け部材６と一連の曲げ成形工程により位置決めストッパ７、７’が一体的に形成されていることは、上記実施例１のハンドル式連結装置５の構成と同じである。
【００２３】
実施例２のハンドル式連結装置５は、軸受け部材６の左右のフランジ部６０、６０に形成された位置決めストッパ７が、同フランジ部６０の手前側の端縁を内方へ略９０度折り曲げて、その端縁を前記フランジ部６０の面板側の端縁と突き合わせた内側折り曲げ片７０と、該内側折り曲げ片７０の端縁部を外方へ略９０度折り曲げてハンドル９の縦辺部９０の外径に相当する長さ（約８ｍｍ程度）まで延長させ、更に該端縁部を内方へ略９０度折り曲げた外側折り曲げ片７１とでハンドル受け７２が構成されていることを特徴としている。
前記内側折り曲げ片７０は、その端縁が軸受け部材６の縁部と突き合わせているので、ハンドル９による押圧作用によって内方へ向かって逃げる変形を防止できる。
なお、前記外側折り曲げ片７１のハンドル受け７２側の面には、ハンドル９の保持力を高めるハンドル固定用凸部７ａが設けられている。
【００２４】
以上に本発明を図示した実施例に基づいて説明したが、本発明は実施例の限りではない。本発明の目的及び趣旨を逸脱しない範囲で、当業者が行う設計変更や変形・応用の範囲で更に多様な態様で実施することができる。
【符号の説明】
【００２５】
１          組立式ボックスパレット
２          正面板
３          背面板
４          側面板
５          ハンドル式連結装置
６          軸受け部材
６０        フランジ部
６１        ウェブ部
７、７’    位置決めストッパ
７ａ        ハンドル固定用凸部
７ｂ〜７ｄ  変形防止処理
７０        内側折り曲げ片
７１        外側折り曲げ片
７２        ハンドル受け
８          ラッチ棒
９          ハンドル
９０        ハンドルの縦辺部
【図１】
2014196134.tif 000003
【図２】
2014196134.tif 000004
【図３】
2014196134.tif 000005
【図４】
2014196134.tif 000006
【図５】
2014196134.tif 000007
【図６】
2014196134.tif 000008
【図７】
2014196134.tif 000009
【図８】
2014196134.tif 000010
【図９】
2014196134.tif 000011